(57)【要約】【課題】薬剤注入システムに関するもので、使い勝手を向上させることを目的とする。【解決手段】薬剤注入装置２は、薬剤カートリッジアダプタ１を収納する筐体３と、薬剤カートリッジアダプタ１に駆動力を供給する駆動機構と、筐体３の前端に設けられている第１の皮膚当面２９と、を備える。薬剤カートリッジアダプタ１は、薬剤カートリッジ１０を収納する本体ケース９と、薬剤カートリッジ１０に対して摺動自在に設けられているピストン１２と、本体ケース９の前端に設けられている注射針装着部７と、本体ケース９に回動自在に設けられ注射針装着部７の前側を覆っているカバー６と、を備える。カバー６の回動により注射針装着部７の前側が表出した状態において、カバー６の前側の端面が第２の皮膚当面３０になる。【選択図】図７
2019098013.tif 000002
【特許請求の範囲】
【請求項１】
薬剤カートリッジアダプタと、前記薬剤カートリッジアダプタが装着される薬剤注入装置と、を有する薬剤注入システムであって、
前記薬剤注入装置は、
前記薬剤カートリッジアダプタを収納する筐体と、
前記薬剤カートリッジアダプタに駆動力を供給する駆動機構と、
前記筐体の前端に設けられている第１の皮膚当面と、を備え、
前記薬剤カートリッジアダプタは、
薬剤カートリッジを収納する本体ケースと、
前記薬剤カートリッジに対して摺動自在に設けられているピストンと、
前記本体ケースの前端に設けられている注射針装着部と、
前記本体ケースに回動自在に設けられ、前記注射針装着部の前側を覆っているカバーと、を備え、
前記カバーの回動により前記注射針装着部の前側が表出した状態において、前記カバーの前側の端面が第２の皮膚当面になる、
薬剤注入システム。
【請求項２】
前記カバーは、前記注射針装着部の前側を覆うカバー体を有し、
前記カバー体は、前記カバーの回動により前記注射針装着部の前側から側面側へと回動すると共に、前記カバー体が前記注射針装着部の側面側に回動された状態において、前記カバー体の前側の端面が前記第２の皮膚当面になる、
請求項１に記載の薬剤注入システム。
【請求項３】
前記カバーには、前記本体ケースの回転軸に軸支されているアームが設けられている、
請求項１または２に記載の薬剤注入システム。
【請求項４】
前記カバーの回動により前記注射針装着部の前側が表出した状態において、
前記注射針装着部は、前記薬剤注入装置の前記第１の皮膚当面と、前記薬剤カートリッジアダプタの前記第２の皮膚当面とに挟まれて配置されている、
請求項１から３のいずれか一つに記載の薬剤注入システム。
【請求項５】
前記カバーの回動により前記注射針装着部の前側が表出した状態において、
前記第２の皮膚当面は、前記第１の皮膚当面の延長面上に配置されている、
請求項１から４のいずれか一つに記載の薬剤注入システム。
【請求項６】
前記カバーの回動により前記注射針装着部の前側が表出した状態において、
前記第２の皮膚当面は、前記筐体の外面よりも外方に配置されている、
請求項１から５のいずれか一つに記載の薬剤注入システム。
【請求項７】
前記カバーは、前記薬剤注入装置に当接する当接部をさらに有し、
前記カバーの回動により前記注射針装着部の前側が表出した状態において、前記当接部が前記薬剤注入装置に当接している、
請求項１から６のいずれか一つに記載の薬剤注入システム。
【請求項８】
前記カバーの回動により前記注射針装着部の前側が表出した状態において、
前記カバーには、前記注射針装着部の側面に対応する部分に切欠部が設けられている、
請求項３から７のいずれか一つに記載の薬剤注入システム。
【発明の詳細な説明】
【技術分野】
【０００１】
本願は、薬剤カートリッジアダプタと、薬剤カートリッジアダプタが収納される薬剤注入装置と、を有する薬剤注入システムに関するものである。
【背景技術】
【０００２】
従来の薬剤注入装置の構成は、以下のようになっていた。
【０００３】
薬剤注入装置は、薬剤カートリッジを収納する筐体と、薬剤カートリッジに対して摺動自在に設けられているピストンと、ピストンを摺動させる駆動機構と、筐体の前端に設けられている注射針装着部と、筐体の前端に設けられている皮膚当面と、を備えた構成となっている。
【０００４】
すなわち、先ず、使用者が筐体内に薬剤カートリッジを収納し、次に、注射針装着部に注射針を装着し、皮膚当面が皮膚に当接するまで注射針を人体に突き刺す。その後、注射が開始されると、駆動機構によってピストンが摺動し、薬剤カートリッジ内の薬剤が注射針を介して人体に注入される構成となっている。
【０００５】
また、保管時に注射針装着部を覆うカバーを、本体ケースに装着するものもある（例えば、特許文献１）。
【先行技術文献】
【特許文献】
【０００６】
【特許文献１】特表２００８−５１４２４９号公報
【発明の概要】
【発明が解決しようとする課題】
【０００７】
上記従来例では、皮膚当面が皮膚に当接するまで注射針を人体に突き刺す。そして、注射ボタンを操作して薬剤の注入を行うが、この時、薬剤注入装置が皮膚当面の無い側に傾いてしまうおそれがあった。このため、薬剤注入装置の姿勢が安定せず、使い勝手が悪かった。
【０００８】
そこで、本発明は使い勝手を向上させることを目的とする。
【課題を解決するための手段】
【０００９】
この目的を達成するために本発明は、薬剤カートリッジアダプタと、薬剤カートリッジアダプタが装着される薬剤注入装置と、を有する薬剤注入システムであって、薬剤注入装置は、薬剤カートリッジアダプタを収納する筐体と、薬剤カートリッジアダプタに駆動力を供給する駆動機構と、筐体の前端に設けられている第１の皮膚当面と、を備えている。
【００１０】
薬剤カートリッジアダプタは、薬剤カートリッジを収納する本体ケースと、薬剤カートリッジに対して摺動自在に設けられているピストンと、本体ケースの前端に設けられている注射針装着部と、本体ケースに回動自在に設けられ注射針装着部の前側を覆っているカバーと、を備えている。
【００１１】
カバーの回動により注射針装着部の前側が表出した状態において、カバーの前側の端面が第２の皮膚当面になる。
【００１２】
これにより、所期の目的を達成する。
【発明の効果】
【００１３】
本発明の薬剤注入システムにおいて、薬剤注入装置は、前端に第１の皮膚当面を備えている。また、薬剤注入装置に装着されている薬剤カートリッジアダプタは、注射針装着部の前側を覆うカバーを備えている。
【００１４】
そして、注射針装着部に注射針を装着するために、使用者がカバーを回動させると、注射針装着部の前側が表出されると共に、カバーの前側の端面が第２の皮膚当面になるのである。
【００１５】
このため、注射針装着部に注射針を装着した後、第１、第２の皮膚当面が皮膚に当接するまで注射針を人体に突き刺した時には、注射針の周辺を第１、第２の皮膚当面が支えるので、薬剤注入装置が傾くことを抑制できる。
【００１６】
その結果として、注射時の姿勢が安定するので、使い勝手を向上させることができる。
【図面の簡単な説明】
【００１７】
【図１】本発明の実施の形態１における薬剤注入システムの斜視図である。
【図２】（ａ）および（ｂ）は、図１の薬剤注入システムの斜視図である。
【図３】（ａ）および（ｂ）は、図１の薬剤カートリッジアダプタの斜視図である。
【図４】図１の薬剤カートリッジアダプタの断面図である。
【図５】図１の薬剤注入システムの断面斜視図である。
【図６】図１の薬剤注入システムの制御ブロック図である。
【図７】図１の薬剤注入システムの正面図である。
【図８】図１の薬剤注入システムの斜視図である。
【図９】図１の薬剤注入システムの斜視図である。
【図１０】図１の薬剤注入システムの斜視図である。
【図１１】（ａ）および（ｂ）は、図１の薬剤注入システムの要部の拡大図である。
【発明を実施するための形態】
【００１８】
以下に、本発明の一実施形態を、図面とともに詳細に説明する。
【００１９】
（実施の形態１）
図１は、薬剤カートリッジアダプタ１と、薬剤注入装置２とから構成される薬剤注入システム３を示している。
【００２０】
薬剤注入装置２は長形状の筐体４を備えている。この筐体４の前端側（図１の左側）に設けられた開口部５に、使用者によって、薬剤カートリッジアダプタ１が後端側（図１の右側）から挿入される。これにより、薬剤カートリッジアダプタ１は、図２に示すように、筐体４内に収納される（薬剤注入装置２に装着される）。
【００２１】
その後、図２（ａ）から（ｂ）のごとく、薬剤カートリッジアダプタ１では、カバー６が回動された後、注射針装着部７に注射針８が取り付けられる。
【００２２】
図３は薬剤カートリッジアダプタ１を示している。
【００２３】
薬剤カートリッジアダプタ１は、長形状の本体ケース９を備えている。本体ケース９には、薬剤シリンジ１０を装着する薬剤シリンジ装着部１１が設けられている。
【００２４】
そして、図３（ａ）から（ｂ）のごとく、薬剤シリンジ装着部１１を本体ケース９外に開いた状態で、そこに薬剤シリンジ１０を装着する。その後、薬剤シリンジ装着部１１を閉じれば、図４に示すように、薬剤シリンジ１０が本体ケース９内の定位置に配置される。
【００２５】
本体ケース９内では、装着された薬剤シリンジ１０に対して、ピストン１２が摺動自在に配置されている。
【００２６】
薬剤シリンジ１０は、円筒形をしている。薬剤シリンジ１０の内部には、前端側に注射針８（図２（ｂ）参照）の後端が差し込まれる注射針挿入部１３が配置され、後端側にピストン１２によって押し込まれるガスケット１４が配置されている。注射針挿入部１３とガスケット１４に栓をされた状態で、薬剤１５が薬剤シリンジ１０内に封入されている。
【００２７】
ピストン１２には、円筒状のピストンギア１６の内歯１６ａが係合されている。ピストンギア１６は、外歯１６ｂの一部が本体ケース９外に露出されている（図１参照）。
【００２８】
そして、図５に示すように、薬剤カートリッジアダプタ１が薬剤注入装置２に装着されると、外歯１６ｂは接続歯車１７およびモータ歯車１８を介してモータ１９に接続される。つまり、薬剤注入装置２に設けられている接続歯車１７、モータ歯車１８、モータ１９は、薬剤カートリッジアダプタ１のピストン１２に駆動力を供給する駆動機構になっている。
【００２９】
薬剤カートリッジアダプタ１は、後方側（図５の右側）に薬剤注入装置２への接続部２０が凹状に設けられている。接続部２０は、薬剤注入装置２の接続突起（図示せず）と係合される。これにより、薬剤カートリッジアダプタ１が薬剤注入装置２に装着される。
【００３０】
また、図１に示すように、薬剤注入装置２の筐体４には、表面（図１における上側の面）に、電源ボタン２１、注射ボタン２２、薬剤注入量などを設定する設定ボタン２３、動作状態などを表示する表示部２４が設けられている。
【００３１】
なお、筐体４において、表面とは反対側の面を裏面と称する。
【００３２】
図６は、制御ブロック図を示している。
【００３３】
モータ１９、電源ボタン２１、注射ボタン２２、設定ボタン２３、表示部２４、電池２５、記憶部２６は、制御部２７に電気的に接続されている。電池２５は、制御部２７に接続された各部に電力を供給する。記憶部２６には、制御部２７に接続された各部の動作制御を行うための制御プログラムが記憶されている。
【００３４】
注射においては、図７のごとく、使用者は、注射針８を人体の皮膚２８へと差し込む。その後、注射ボタン２２を押すと注射動作が開始される。
【００３５】
注射動作では、制御部２７が図５のモータ１９を回転させると、モータ歯車１８および接続歯車１７が回転し、ピストンギア１６の外歯１６ｂが回転する。図４の薬剤カートリッジアダプタ１内では、外歯１６ｂが回転すると内歯１６ａによってピストン１２がガスケット１４に向かって摺動する。これにより、薬剤シリンジ１０内の薬剤１５が注射針８を介して人体に注入される。つまり、注射が行われる。
【００３６】
以上の説明により、本実施形態の基本的な構成と動作が理解できたところで、以下に本実施形態の特徴点について説明する。
【００３７】
本実施形態においては、図８に示すように、薬剤注入装置２は、前端（図８における下側）に第１の皮膚当面２９を備えている。
【００３８】
薬剤注入装置２に装着されている薬剤カートリッジアダプタ１は、前端に、図８、図９に示すように、注射針装着部７を覆うカバー６を備えている。
【００３９】
そして、注射針装着部７に注射針８を装着するために、使用者がカバーを回動させると、注射針装着部７の前側が表出されると共に、カバー６の前側の端面が第２の皮膚当面３０になるのである。
【００４０】
このため、図７のごとく、注射針装着部７に注射針８を装着すると、注射針８の一部は、第１の皮膚当面２９および第２の皮膚当面３０よりも突出し、第１の皮膚当面２９と第２の皮膚当面３０が皮膚２８に当接するまで注射針８を人体に突き刺した時には、注射針８の周辺を第１の皮膚当面２９と第２の皮膚当面３０が支えるので、薬剤注入装置２が傾くことを抑制できる。
【００４１】
その結果として、注射時の姿勢が安定するので、使い勝手を向上させることができる。
【００４２】
以下に詳細に説明する。
【００４３】
図８から図１０は、薬剤カートリッジアダプタ１が薬剤注入装置２に装着された状態を示している。
【００４４】
図９に示すように、薬剤注入装置２は、筐体４の前端に、前端部４ａが設けられている。前端部４ａの前端には、第１の皮膚当面２９が平面で形成されている。
【００４５】
薬剤注入装置２に装着された薬剤カートリッジアダプタ１は、本体ケース９の前端に、円柱状の注射針装着部７が前方に突出して設けられている。注射針装着部７は、側面の一方側に、第１の皮膚当面２９が設けられた前端部４ａが配置されている。なお、第１の皮膚当面２９は、注射針装着部７よりも前方側に配置されている。
【００４６】
そして、薬剤カートリッジアダプタ１は、使用者が注射針装着部７に触れないようにするために、図８、図９のごとく、本体ケース９の前端にカバー６が回動自在に設けられている。
【００４７】
カバー６は、回動により注射針装着部７を出没自在に覆っている。
【００４８】
図８は、カバー６が閉じられた状態を示している。カバー６が閉じられた状態では、注射針装着部７はカバー６によって覆われている。このため、使用者は、注射針装着部７に注射針８を装着できない。また、使用者が不用意に注射針装着部７に触ってしまうことがなく、注射針装着部７の衛生状態を保持することができる。
【００４９】
図９は、カバー６が開かれた状態を示しており、カバー６が図８の状態から回動した状態を示している。カバー６の回動により、注射針装着部７は、前側および側面側が外部に表出している。このため、使用者は、注射針装着部７に注射針８を装着できる。
【００５０】
カバー６について、より詳細に説明する。
【００５１】
図８に示すように、カバー６は板状のカバー体６ａを有しており、カバー６が閉じられた状態では、カバー体６ａが注射針装着部７の前側を覆っている。カバー体６ａと第１の皮膚当面２９は、一体的に平面を形成している。
【００５２】
このカバー６を回動させるために、薬剤カートリッジアダプタ１の前端側で、本体ケース９の表面と裏面に、２個の回転軸３１がそれぞれ設けられている。
【００５３】
カバー６は、カバー体６ａから回転軸３１に向けて伸ばされている２本の板状のアーム３２を有している。２本のアーム３２は、それぞれの回転軸３１に回転自在に軸支されている。
【００５４】
アーム３２は回転軸３１を超えて延長されており、アーム３２の延長部分に突起３３（図９、図１０参照）を当接させることにより、カバー６が閉じられた状態を維持している。このため、カバー６が不用意に開いてしまうことがない。
【００５５】
なお、カバー体６ａとアーム３２は、樹脂により一体的に成型されている。
【００５６】
使用者がカバー６を図８から図９の状態へと回動させると、アーム３２はその弾性により突起３３を乗り越えて回動する。
【００５７】
カバー体６ａは注射針装着部７の前側から他方側（第１の皮膚当面２９が設けられた前端部４ａとは反対側）へと回動し、注射針装着部７の他方側の側面に配置される。
【００５８】
すなわち、カバー６の回動により注射針装着部７の前側および側面が表出する。
【００５９】
本実施形態においては、カバー６が開いた状態（カバー６の回動により注射針装着部７の前側および側面が表出した状態であって、カバー体６ａが注射針装着部７の側面側に回動した状態）において、板状のカバー体６ａの前方を向いている端面６ｂを第２の皮膚当面３０としている。
【００６０】
すなわち、注射針装着部７に注射針８を装着するために、使用者が、薬剤注入装置２に収納された薬剤カートリッジアダプタ１のカバー６を回動すると、カバー６の前側の端面が第２の皮膚当面３０になるのである。
【００６１】
このため、図７のごとく、注射針装着部７に注射針８を装着した後、第１の皮膚当面２９と第２の皮膚当面３０が皮膚２８に当接するまで注射針８を人体に突き刺した時には、注射針８の周辺を第１の皮膚当面２９と第２の皮膚当面３０が支えるので、薬剤注入装置２が傾くことを抑制できる。
【００６２】
その結果として、注射時の姿勢が安定するので、使い勝手を向上させることができる。
【００６３】
さらに本実施形態においては、図９に示すように、カバー６が開いた状態で、注射針装着部７は、薬剤注入装置２の第１の皮膚当面２９と、薬剤カートリッジアダプタ１の第２の皮膚当面３０とに挟まれて配置されている。
【００６４】
このため、図１０に示すように、注射針８は第１の皮膚当面２９と第２の皮膚当面３０に挟まれて配置されることになる。
【００６５】
したがって、図７に示すように、注射針８を人体に突き刺した時には、注射針８の両側を第１の皮膚当面２９と第２の皮膚当面３０が支えるので、薬剤注入装置２が傾くことを抑制できる。
【００６６】
また本実施形態においては、図８、図９に示すように、カバー６が開いた状態で、カバー体６ａの第２の皮膚当面３０は、第１の皮膚当面２９の延長面上に配置されている。すなわち、皮膚当面２９と皮膚当面３０は、同一面上に配置される。
【００６７】
したがって、図７に示すように、注射針８を人体に突き刺した時には、第１の皮膚当面２９と第２の皮膚当面３０の全ての面を皮膚２８に同時に当接させることができる。これにより、注射針８の両側を安定的に支えることができるので、薬剤注入装置２が傾くことを抑制できる。
【００６８】
さらに、本実施形態においては、図１０に示すように、カバー６が開いた状態で、注射針装着部７を前方側から見て、第２の皮膚当面３０は、筐体４の他方側の外面よりも外方の位置に配置されている。
【００６９】
すなわち、第２の皮膚当面３０が注射針８から離れた位置に配置されるので、第１の皮膚当面２９と第２の皮膚当面３０の距離が大きくなる。したがって、注射針８の両側を遠方で支えることになるので、薬剤注入装置２が傾くことを抑制できる。
【００７０】
また本実施形態においては、図１１に示すように、カバー６においては、２本のアーム３２の外方側を連結して外面部を形成し、この外面部に、薬剤注入装置２の筐体４に当接する筐体当接部３４を設けている。そして、図１１（ｂ）に示すように、カバー６が開いた状態で、筐体当接部３４は、カバー６の後方側で筐体４に当接している。
【００７１】
このため、図７のごとく、注射針８を人体に突き刺した時においても、筐体４が筐体当接部３４を介してカバー６を支えるので、カバー６の第２の皮膚当面３０を皮膚２８に適切に押し当てることができる。
【００７２】
また、図１１（ａ）に示すように、筐体当接部３４に嵌合溝３５を設けている。そして、図１１（ｂ）に示すように、カバー６が開いた状態で、嵌合溝３５を、筐体４の前端側に設けた嵌合突起３６に嵌合させている。
【００７３】
筐体当接部３４は、その弾性により筐体４の嵌合突起３６を挟み込んでいるので、筐体４はカバー６を安定的に支持することができる。
【００７４】
さてここで、実使用においては、注射針装着部７の衛生状態を保持するために、例えば綿棒を用いて注射針装着部７をアルコールで掃除することがある。
【００７５】
そこで本実施形態においては、注射針装着部７の掃除を容易にするために、図１１（ｂ）に示すように、カバー６が開いた状態において、カバー６の表面と裏面には、注射針装着部７の側面に対応する部分に、切欠部３７がそれぞれ設けられている。なお、カバー６の表面とは、筐体４の表面と同じ側の面（図１１（ｂ）における上側の面）である。また、カバー６の裏面とは、筐体４の裏面と同じ側の面である。
【００７６】
なお、２本の板状のアーム３２が、カバー６の表面と裏面を形成している。アーム３２をＬ字状にすることで、切欠部３７が形成されている。
【００７７】
カバー６が開いた状態で、カバー６の表面側（および裏面側）から注射針装着部７を見ると、カバー６が注射針装着部７に重ならないように形成されている。つまり、切欠部３７を介して注射針装着部７の側面が全て見える状態となっている。
【００７８】
このため、カバー６が開いた状態では、使用者は、カバー６の表面側と裏面側から、切欠部３７を介して注射針装着部７にアクセスできるようになる。
【００７９】
したがって、使用者は注射針装着部７を容易に掃除することができる。
【００８０】
なお、注射が終わると、図８に示すように、使用者は、カバー６を閉じる。カバー６が閉じられると、再び、カバー体６ａが注射針装着部７の前側を覆った状態となる。
【００８１】
したがって、使用者が注射針装着部７に触ってしまうことはなく、注射針装着部７の衛生状態を保持することができる。
【００８２】
そして、図１に示すように、使用者は、薬剤カートリッジアダプタ１を薬剤注入装置２から引き出して保管する。この時も、カバー６が閉じられて、カバー体６ａが注射針装着部７の前側を覆っている。したがって、使用者が不用意に注射針装着部７に触ってしまうことがなく、注射針装着部７の衛生状態を保持することができる。
【産業上の利用可能性】
【００８３】
本発明は、例えば、薬剤カートリッジアダプタと、前記薬剤カートリッジアダプタが収納される薬剤注入装置と、を有する薬剤注入システムとして活用が期待される。
【符号の説明】
【００８４】
１  薬剤カートリッジアダプタ
２  薬剤注入装置
３  薬剤注入システム
４  筐体
４ａ  前端部
５  開口部
６  カバー
６ａ  カバー体
６ｂ  端面
７  注射針装着部
８  注射針
９  本体ケース
１０  薬剤シリンジ
１１  薬剤シリンジ装着部
１２  ピストン
１３  注射針挿入部
１４  ガスケット
１５  薬剤
１６  ピストンギア
１６ａ  内歯
１６ｂ  外歯
１７  接続歯車
１８  モータ歯車
１９  モータ
２０  接続部
２１  電源ボタン
２２  注射ボタン
２３  設定ボタン
２４  表示部
２５  電池
２６  記憶部
２７  制御部
２８  皮膚
２９  第１の皮膚当面
３０  第２の皮膚当面
３１  回転軸
３２  アーム
３２ａ  アーム片
３２ｂ  アーム片
３３  突起
３４  筐体当接部
３５  嵌合溝
３６  嵌合突起
３７  切欠部
【図１】
2019098013.tif 000003
【図２】
2019098013.tif 000004
【図３】
2019098013.tif 000005
【図４】
2019098013.tif 000006
【図５】
2019098013.tif 000007
【図６】
2019098013.tif 000008
【図７】
2019098013.tif 000009
【図８】
2019098013.tif 000010
【図９】
2019098013.tif 000011
【図１０】
2019098013.tif 000012
【図１１】
2019098013.tif 000013